(57)【特許請求の範囲】
【請求項１】
二個のネジ又はボルトに削孔したものを、対象物の所定の位置に固定するため締め付けた後、施した孔に、連結金具の一端は孔径より大きく、他端からしか挿入できない連結金具を、連結金具一本設ける場合は、連結金具を二個のネジ又はボルトに施した孔にまたがり挿入した後、二個のネジ又はボルトにまたがり突き出た先端部分に施した孔に錠を施錠する、連結金具を二本設ける場合は、孔を施した二個のネジ又はボルト一個に対し連結金具一本を挿入した後、連結金具に施した孔に錠の弦を二本の連結金具にまたがるよう施錠し、二本の連結金具を連結する、これで、連結金具の脱落を防ぎ、一本の連結金具または連結された二本の連結金具が、ネジ又はボルトの一方が緩もうとする回転運動を、もう一方のネジ又はボルトへと伝え、もう一方ネジ又はボルトは回転運動の障害物となって互いのネジ又はボルトは回転することを干渉しあう、よって、二個の削孔したネジ又はボルトを連結金具により一定量以上回転不可能とし、錠の防犯性により、鍵を持つ者以外ロック装置の取り外しを不可能にする構成を特徴とするロック装置。
【発明の詳細な説明】
【0001】
【発明の属する技術分野】
本発明は、ロック装置に関し、特に二個のネジ、ボルトを連結金具によりロックする装置に関するものである。
【0002】
【従来の技術】
従来、計器等の容器外板が開かないようロックする機器は、専用に設計された機器や特開平7-334265公報にみられるノート型パーソナルコンピューターのHDDパック内への悪意ある第三者のアクセスを防ぐような機器はあるがディスクトップ型パーソナルコンピューター汎用容器などに収められた各種大きさにある程度対応できる機器はみられない。
【0003】
従来、容器外板を組み立て固定するこの種のネジ又はボルトの緩み防止機具としては特許第115610号公報や実用新案昭35-24913号公報にみられるナットで締め付けた後、ナット（雌ネジ）の形状に合わせた覆いの上部の孔と、雄ネジ側に削孔した孔に、ピンなどを挿入し、ナットが緩んで外れないようにするネジ又はボルトの緩み防止機具や実用新案54-113958にあるボルト、ナット、ネジに削孔し針金を通し、回り止め板などを使って回転することを防ぐ物があるが、これらは緩み防止のみに対応しており、緩み防止のために雄ネジ側軸心への加工があるため強度の低下や金属の回り止め板を折り曲げて回転を防止するため、回り止めとしてはその分強度が落ちる。
【0004】
また、特開2000-266030公報にみられるラチェットと六角ボルト用には六角穴付きボルトソケット、六角ナットにはネジ付きソケットを組み合わせて使用するボルト又はナット間のピッチ調整を可能にした緩み止め器具があるが、これらは緩み防止のみに対応しており、ラチェットの締め付け方向への逆回転防止機能が回転に対する強度となり、故障が発見されにくいなどの難点がある。
【０００５】
特開2001-207706といった積み荷保証ロック機構というものがあるが、この機器はロック機構によって錠の種類が固定され、かつ、形状により鍵の長さが制限を受ける、また、これはU字状部分と錠部分が一つの物として固定されているため錠の一種であり、工夫しだいでは本発明であるロック装置の南京錠の代わりとして使える。
【0006】
【発明が解決しようとしている課題】
近年になり、ハッカーによる、ネットからの攻撃以外に、悪意ある第三者がパーソナルコンピューター内盗聴用ソフトをインストールし、使用者が気付かないよう、データをHDD内に蓄積し、後でそのデータを抜き取りにくるといった社会現象も発生しているようであり、また、取り付けた拡張ボードと同じ機能を持つ盗聴機能を追加した拡張ボードに差し替えるといった事もこの先考えられなくも無い。
【0007】
実際に、電子顕微鏡の真空圧の設定などを容易に変更され、フィラメントの寿命が短くなるなど困った事がある、また、現在市販されているディスクトップ型パーソナルコンピューターや測定機器は容器外板を取り外し、内部ボードのクロック周波数やシステムバススピード設定など各種スイッチや可変ボリュームを容易に変更でき、PCIスロットなどに挿入された各種拡張ボードやCPUなどを容易に抜き差しできるよう設計されていて、誰もが容易に内部設定を変更できるという問題があった。
【0008】
また、試作段階に次に述べるような問題があった、二個のパーソナルコンピューター用汎用本体容器外板固定用ネジでローレット目を刻んだ頭部をもち、ドライバーを使用せずに手で固定・取り外しを可能にしたネジ（以下、容器外板固定用ネジ）に削孔し孔2をあけ（図1，図2）、それぞれのあけた孔2にワイヤーを挿入しワイヤーを渡す、ワイヤーの両端にはシリンダー式南京錠の弦が挿入できる輪があるものを使用する、その両端の輪にシリンダー式南京錠の弦を挿入し施錠することでロックしようと試みた。
【0009】
この条件下では、ワイヤーのわずかな緩みが原因で、強引にネジを緩む方向に回転させようとすると回転が可能であり、回転を不可能にするにもワイヤーの長さに合わせネジの孔2に数回ワイヤーを挿入しネジに巻きつける方法などで調整する必要があり、色々な機器の容器への対応が難しく、一度ロックに使用したワイヤーは巻き癖がついており、取り外しやその後の取り付けが困難になるという事が分かった。
【0010】
また、よく似た構造で日本工業規格には針金をボルトの止め穴に通して緩みを防止する、止め穴付きボルト（JIS B 0101(2)ねじ部品(b)頭の形 2226）があるが、ワイヤーと同じく、少しの針金の緩みや針金の塑性変形による緩みの発生によりボルトは容易に回転が可能となる。又、針金では悪意ある第三者が針金を切断しボルトを外し工作した後、ボルトを締めなおし、針金で緩み止めを施した元の状態にすれば、外見上は何も変化が無いようにする事が容易に可能という問題があった。
【0011】
【課題を解決するための手段】
二個のネジ又はボルトに削孔したものを、対象物の所定の位置に固定するため締め付けた後、施した孔に、連結金具の一端は孔径より大きく、他端からしか挿入できない連結金具を、連結金具一本設ける場合は、連結金具を二個のネジ又はボルトに施した孔にまたがり挿入した後、二個のネジ又はボルトにまたがり突き出た先端部分に施した孔に錠を施錠する、連結金具を二本設ける場合は、孔を施した二個のネジ又はボルト一個に対し連結金具一本を挿入した後、連結金具に施した孔に錠の弦を二本の連結金具にまたがるよう施錠し、二本の連結金具を連結する、これで、連結金具の脱落を防ぎ、一本の連結金具または連結された二本の連結金具が、ネジ又はボルトの一方が緩もうとする回転運動を、もう一方のネジ又はボルトへと伝え、もう一方ネジ又はボルトは回転運動の障害物となって互いのネジ又はボルトは回転することを干渉しあう、よって、二個の削孔したネジ又はボルトを連結金具により一定量以上回転不可能とし、錠の防犯性により、鍵を持つ者以外ロック装置の取り外しを不可能にする構成を特徴としている。
【0012】
【実施例】
実際にパーソナルコンピューター用に試作し、使用している例を第一例として述べる。二個の容器外板固定用ネジに、連結金具として使用する釘（図3，図4）を挿入する孔2を、遊びを3-4％とった孔径で、図1，図2に示すよう削孔する、同じく連結金具にも図3，図4で示すように南京錠6の弦を挿入する孔3を、遊びを3-4％とり削孔する。
【００１３】
次に、図5で示すようにパーソナルコンピューター汎用容器横板7を所定の位置に組み立て、容器外板固定用ネジ4（図1，図2）で固定し、ネジ4に削孔した孔2に外側より連結金具5（図3）をお互いに向き合うよう差し込む、最後に双方の連結金具5（図3，図4）に施した孔3に南京錠6の弦を二本にまたがって挿入し施錠する。これで連結金具は連結され抜けなくなり、繋がれた二本の連結金具5によって、二個のネジの一方が緩もうとしても、連結金具によって回転運動がもう一方のネジに伝えられ、もう一方のネジが回転運動の障害物となって、お互いのネジ4が干渉しあい、ロック装置を使った部分のネジ又はボルトによって固定された対象物は取り外し不可能となり、容器外板固定用ネジは一定量以上回転不可能となり、錠6を解錠しない限り通常では容器横板7は本体から取り外しできなくなる。
【0014】
よって、錠の鍵を持っている管理者やパーソナルコンピューター汎用容器の取り外しを許可された者以外、パーソナルコンピューターに装着しているロック装置を解錠できなくなる。
【0015】
工業的に量産し、他人に使用してもらうには、フライス盤等の機械加工が必要になる、そこで容器外板固定用ネジには実際作業する観点から、図7，図8のように削孔を容易にするため、対称の中心線上を平面面取り加工した後、削孔する。連結金具も同じように平面面取り加工後、削孔する。図9，図10または図11，図12に示す。
【００１６】
図9で示す複数の孔3と図11の長孔9には、各種容器の大きさに合わせ、図6のように連結金具が適当な配置になるよう孔位置を換えて、複数の南京錠6の弦を双方の連結金具の孔3に挿入し調節するためと、重なり合う長孔9の部分に、同じく複数の南京錠6の弦を挿入し、文字合わせ式南京錠とシリンダー式南京錠や旅行錠を施錠するなど、複数かつ数種類の錠を施錠することをねらったものである。
【0017】
また、連結金具図9，図11の材料は、ボルト、ナット、ネジによく使用されている、クロム鋼SCr430（JIS G 4104 (1979)），クロムモリブデン鋼SCM432(JIS G 4105(1979))，ニッケルクロム鋼SNC236(JIS G 4102(1979))等より、引っ張り強さが低く、伸びがあるが針金よりは強度のある軟鋼や四六黄銅鋼等の材料を使用することで、ロックすることが原因でネジ又はボルトの首が飛ぶ事故を少なくできる。
【0018】
第一例の特別な使用方法として、会社又は学校などの長期休暇で、パーソナルコンピューターを長期間使用しない場合など、本体容器内のマザーボード、HDD、FDD、CD-ROM等への電源供給プラグを外し、ロック装置を使用すると、悪意ある第三者は容易にパーソナルコンピューターを使用できず、データも抜き取れない。
【0019】
第二例として、第一例と同じく、錠6の弦を挿入する孔3を削孔する事が可能な図15のような連結金具で、かつ、その連結金具を挿入可能な孔2を削孔するに十分な大きさの六角ボルトに対しては、従来からある止め穴付き六角ボルトの孔の形状を図13，図14で示すように、連結金具を挿入する孔として遊びを3-4％とり削孔した後、削孔した孔2を面取り加工する。同じく、連結金具にも図15に示すように削孔を容易にするための平面面取り加工を図9，図11で示す図より狭くとり、南京錠6の弦を挿入する孔3として遊びを3-4％とり削孔する。
【００２０】
第一例で示すようにボルトと二本の連結金具を使用してロックすることも可能であるが、取り付け位置の制限はあるものの、図17，図18のように連結金具11一本で一定量以上回転不可能となるよう取り付けると、ネジ又はボルトの緩み止めだけではなく、強度がとりやすい構造になり、どうしても締め付けトルクを強くすると首が飛ぶ事故が多く、締め付けトルクを強くできないような場合には、ネジ又はボルトの首からの破断又は疲労破壊、連結金具の破断又は疲労破壊などによる損傷以外にボルトの脱落を防ぐことができ、ネジ又はボルトの脱落防止として有利な取り付け方法である。
【0021】
図13，図14で示すような、六角ボルト10に施した孔2の面取り加工は、六角ボルト10が何かの力で緩もうとし、回転しようとした時、連結金具にかかる曲げ方向の力を一点に集中させないようにするための加工である。
【0022】
第二例において、多少のボルト締め付け位置の調整には、薄い平座金を使うとよく、連結金具はボルトの材質に合わせ、ボルトより引っ張り強さが低く、伸びがあるが簡単には曲げることが不可能な材料を選ぶと、ロックすることが原因でボルトの首が飛ぶ事故を少なくできる。
【００２３】
連結金具に施した削孔を容易にするための平面面取り加工部分は、面取り加工しない部分より強度が低いために変形の始点の可能性が高くなるため、どうねじれたかなどの連結金具にかかった応力の痕跡が、見た目にも容易に判断できるようになり、点検などが容易になる。
【００２４】
また、複数施錠する事をねらった図9または図11の連結金具によって、悪意ある第三者が容器内に工作するには、連結金具か錠を切断するか、ピッキングにより錠を解錠しなければならず、複数施錠する事をねらった図9または図11の連結金具により複数施錠し、それを悪意ある人が解錠したとしても、ひとつの三桁文字合わせ式南京錠を解錠する時間を10分とすると、シリンダー式南京錠を一つ、文字合わせ式南京錠を二個施錠すると、文字合わせ式南京錠だけで20分かかることになり、比較的大きな工具を持ち歩くか小さな工具では切断に時間を要するため、防犯上の安全性向上につながる。
【0025】
【発明の効果】
実施例第一例によって、特に会社や官庁、学校など多くの人が出入りする場所で使用するパーソナルコンピューターのHDDの抜き取りを防止するなど、防犯上の安全性を向上できる。
【0026】
実施例第一例【0020】の特別な使用方法により、長期休暇時などに悪意ある第三者によるパーソナルコンピューターの使用及びデータの抜き取りを困難にできる。
【００２７】
第二例のように一本の連結金具でボルトを一定量以上回転不可能とすると、緩み止めとして働き、破壊に対するボルトの脱落防止機能向上につながる。
【図面の簡単な説明】
【図1】容器固定用ネジ削孔上面図、側面図である。
【図2】図1、A-A切断線ネジ頭部断面図である。
【図3】容器固定用ネジ脱落防止用連結金具（釘）削孔側面図。
【図4】図3、B-B切断線断面図である。
【図5】実施例第一例ロック装置取り付け簡略図である。
【図6】実施例第一例ロック装置取り付け簡略図である（複数施錠時）。
【図7】容器固定用ネジ加工用上面図、側面図である。
【図8】図6、C-C切断線ネジ頭部断面図である。
【図9】容器固定用ネジ脱落防止用連結金具側面図（多孔）。
【図10】図8、D-D切断線断面図である。
【図11】容器固定用ネジ脱落防止用連結金具側面図（長孔）。
【図12】図10、E-E切断線断面図である。
【図13】止め穴付き六角ボルト加工上面図、側面図である。
【図14】図12、F-F切断線断面図である。
【図15】止め穴付き六角ボルト脱落防止用連結金具側面図である。
【図16】図14、G-G切断線断面図である。
【図17】実施例第二例ロック装置取り付け上面図である。
【図18】実施例第二例ロック装置取り付け側面図である。
【符号の説明】
１  １／８インチネジ山
２  連結金具挿入孔
３  錠の弦挿入孔
４  容器固定用ネジ（削孔後）
５  容器固定用ネジ脱落防止用連結金具
６  シリンダー式南京錠
７  パーソナルコンピューター汎用容器横板（取り外し可能）
８  パーソナルコンピューター汎用容器上板（固定）
９  錠の弦挿入長孔
１０  止め穴付きボルト（改造後）
１１  ボルト脱落防止用連結金具
【図１】
0003740686.tif 000002
【図２】
0003740686.tif 000003
【図３】
0003740686.tif 000004
【図４】
0003740686.tif 000005
【図５】
0003740686.tif 000006
【図６】
0003740686.tif 000007
【図７】
0003740686.tif 000008
【図８】
0003740686.tif 000009
【図９】
0003740686.tif 000010
【図１０】
0003740686.tif 000011
【図１１】
0003740686.tif 000012
【図１２】
0003740686.tif 000013
【図１３】
0003740686.tif 000014
【図１４】
0003740686.tif 000015
【図１５】
0003740686.tif 000016
【図１６】
0003740686.tif 000017
【図１７】
0003740686.tif 000018
【図１８】
0003740686.tif 000019